(57)【要約】【課題】ガスレンジとインダクションレンジの電熱線に兼用使用ができるだけではなく、熱伝導体によって熱源に対しての蓄熱性を向上させ、被調理物が局部的にでも焦げる現象を防止でき、軽い炭素材とセラミック体を使用することにより器具の重量感を顕著に減らして使用者の取り扱いを容易にする。【解決手段】器具本体１０の底面にインダクションレンジの磁力線により渦流電流を生成させる鉄からなる電流抵抗体２０を配置し、電流抵抗体２０の底面には炭素成型体又はセラミック体からなる熱伝導体３０を位置させ、この熱伝導体３０は、これの下端を支持するために折曲した形態の係止部４１があるリング型の固定具４０内に挿入装着する。固定具４０は、これの上端を器具本体１０の底面に所定の付着手段によって付着して成る。【選択図】図２
0003126625.tif 000002
【実用新案登録請求の範囲】
【請求項１】
内容物を盛って調理できる上部開放型の器具本体を備えた調理器具において、器具本体の底部にはインダクションレンジの磁力線により渦流電流を生成させる鉄からなる電流抵抗体が配置され、この電流抵抗体の底面には炭素成型体又はセラミック体からなる熱伝導体が位置し、熱伝導体はこの熱伝導体自体を支持するための折曲された形の係止部を持つリング型の固定具内に装着されており、固定具は器具本体の底面に所定の付着手段によって付着されたことを特徴とするインダクションレンジ兼用調理器具。
【請求項２】
請求項１において、電流抵抗体は、所定の通孔が多数個形成された金網又はパンチングされた鉄板であることを特徴とするインダクションレンジ兼用調理器具。
【請求項３】
請求項２において、金網又はパンチングされた鉄板の通孔の中には炭素又はセラミック粉末のような熱伝導粉末が充填されたことを特徴とするインダクションレンジ兼用調理器具。
【請求項４】
請求項１乃至請求項３のいずれか一つの項において、固定具は、器具本体の底面に接合するように上端に折曲された結着部が形成されたことを特徴とするインダクションレンジ兼用調理器具。
【考案の詳細な説明】
【技術分野】
【０００１】
本考案はインダクションレンジ兼用調理器具に係り、より詳細には底面に炭素成型体又はセラミック体が熱伝導体として装着され、ガスレンジとインダクションレンジの区分なく兼用して使うことができ、蓄熱性を向上できるインダクションレンジ兼用調理器具に関するものである。
【背景技術】
【０００２】
一般的に家庭や飲食店で幅広く使われている飯釜類、鍋類、焼肉プレート、フライパン等の調理器具はその機能の上、耐熱性及び耐久性が要求されるから、ステンレス又はアルミニウムと言った非鉄金属、所定量の炭素を含有する鋳鉄又はセラミックを材質として製作されている。そして、その用途によって少しずつ異なる形状を持ちはするが、内容物を盛って調理するための容器部を有している。
【０００３】
こうした調理器具は電気コンロ、ガスレンジに使われる器具とインダクションレンジ（電磁調理器）に使われる器具とでは、その構成に違いがある。ガスレンジ用調理器具の場合、容器部がガスレンジの炎と直接に接するため、耐熱性と熱伝導性とを有するアルミニウム又はステンレススチールを素材として使用する半面、インダクションレンジ用調理器具は最低でもインダクションレンジのグリルが接する部分、つまり底に磁性を持つ鉄（Ｆｅ）成分を含有しなければならない。
【特許文献１】特になし
【考案の開示】
【考案が解決しようとする課題】
【０００４】
一方、ガスレンジ、インダクションレンジを共に使用している使用者にとって、それぞれのレンジに合った調理器具を使わなければならず、異なる種類のレンジ（例えば、ガスレンジとインダクションレンジ）でともに使用する場合はそれに合わせた調理器具を種類別に用意しなければならない煩雑さがあり、また、それに伴なう費用的な問題もあった。  
【０００５】
このような問題を解決しようと本考案者は、先に出願した出願番号大韓民国特許第２００６−２５８２５号でダイキャスト工法による器具本体の底部に炭素成型体が装着された調理器具及びその製造方法を提案した。このような調理器具は熱源としてガスレンジの炎だけではなく、インダクションレンジの電熱線に対しても熱伝導性を持つ炭素成型体が底部に配置されることによって二種類の異なるレンジで兼用して使うことができ、しかも炭素成型体によって熱源に対しての蓄熱性を向上させ、被調理物が局部的に焦げる現象を防止できるようになった。
【０００６】
だが、このような技術は調理器具がダイキャスト工法で製作されるものに限定される。すなわち、通常、ダイキャスト工法によって成型されるアルミニウム材質の容器部には適用することができる。しかしながら１０００℃以上の融点を持っているためにダイキャスト工法ではなく、主にドローイング工法によって成型されるステンレスや鋳鉄、銅材質の容器部には適用が難しいという問題があった。
【０００７】
そこで、本考案は上記のような従来存した諸事情に鑑み案出されたものであり、主にドローイング工法によって製作されるステンレスや鋳鉄、銅材質の器具本体底部に炭素成型体のような熱伝導体を装着してガスレンジとインダクションレンジの区別なく兼用して使うことができるだけではなく、蓄熱性を向上して被調理物が局部的にでも焦げる現象が防止できるインダクションレンジ兼用調理器具を提供することを目的とする。
【課題を解決するための手段】
【０００８】
上記のような目的を達成するため本考案は、内容物を盛って調理できる上部開放型の器具本体１０を備えた調理器具において、器具本体１０の底部にはインダクションレンジの磁力線により渦流電流を生成させる鉄からなる電流抵抗体２０が配置され、この電流抵抗体２０の底面には炭素成型体又はセラミック体からなる熱伝導体３０が位置し、熱伝導体３０はこの熱伝導体３０自体を支持するための折曲された形の係止部４１を持つリング型の固定具４０内に装着されており、固定具４０は器具本体１０の底面に所定の付着手段によって付着されたことを特徴とする。
電流抵抗体２０は、所定の通孔が多数個形成された金網又はパンチングされた鉄板であることとできる。
金網又はパンチングされた鉄板の通孔の中には炭素又はセラミック粉末のような熱伝導粉末２１が充填されたものとできる。
また、固定具４０は、器具本体１０の底面に接合するように上端に折曲された結着部４２が形成されたものとできる。
【０００９】
以上のように構成された本考案に係るインダクションレンジ兼用調理器具において、器具本体１０の底部に装着された熱伝導体３０は、厨房機器におけるガスレンジとインダクションレンジの区別なく兼用して使用させる。
熱伝導体３０自体は、結着部４２にて器具本体１０に付着した固定具４０内に装着されることで、外部からの衝撃、振動その他によって器具本体１０から分離、脱落されない。  電流抵抗体２０は、通孔の中に充填された熱伝導粉末２１によって、一層の蓄熱作用があり、しかもその遠赤外線の発生で被調理物の発生で被調理物に対する加熱調理を一層効率化させる。
【考案の効果】
【００１０】
上述したように本考案のインダクションレンジ兼用調理器具は主にドローイング工法により製作され、比較的複雑な形状の器具の製作が容易ではないステンレスや鋳鉄、銅材質の器具本体１０の底部に炭素成型体又はセラミック体からなる熱伝導体３０を固定具４０によって装着することで、熱源としてガスレンジの炎だけではなく、インダクションレンジの電熱線に対しても熱伝導性を有しており、二つの異なる種類のレンジの兼用使用ができる。それのみならず、熱伝導体３０によって熱源に対して蓄熱性を向上させて被調理物が局部的にでも焦げる現象を防止でき、軽い炭素材とセラミック体を使用することによって器具の重量感を顕著に減らして使用者の取り扱いが容易になる効果を有する。
【考案を実施するための最良の形態】
【００１１】
以下では本考案について添付された図面に図示された実施の形態によって具体的に説明するが、本考案が図面に図示された実施の形態だけに限定されるものではない。
【００１２】
添付された図面では調理器具の中で代表的なフライパンと鍋とを例として説明しているが、これは本考案の適用がフライパンと鍋だけに限定されるものではなく、その他にも圧力釜や焼肉プレート等の他の調理器具にも適用できるということを明らかにしておく。
【００１３】
図１は本考案をフライパンとして構成した場合の分解斜視図であって、図２は図１の断面図である。
【００１４】
これに図示されているように、本考案のフライパンは、内容物を盛って調理できる上部開放型の容器状の器具本体１０と、この器具本体１０の底面に位置する渦流電流を生成するための電流抵抗体２０と、この電流抵抗体２０の底面に密着される熱伝導体３０と、この熱伝導体３０と電流抵抗体２０とを器具本体１０の底面に固定するための固定具４０とで構成される。
【００１５】
まず、器具本体１０はその材質として１０００℃以上の融点を持っており、ダイキャスト工法が容易ではないため、主にドローイング工法によって成型されるステンレスや鋳鉄、銅材質の成型品を主要対象にするが、ダイキャスト工法によって製作されるアルミニウムの成型品に適用が不可能なものではない。
【００１６】
こうした器具本体１０はその用途によって少しずつ異なる形状を持ちはするが、調理すべき各種の内容物を盛って調理するための上部開放型の器状となる調理用の内部空間を有している。
【００１７】
電流抵抗体２０は器具本体１０の底面と熱伝導体３０との間に位置し、電流抵抗体２０自体はインダクションレンジで調理器具を使う際、レンジの磁力線によって渦流電流を生成することのできる物質で構成されている。
【００１８】
すなわちインダクションレンジの作動原理は、レンジ上板のコイルに電流を送って磁力線を発生させると、この磁力線が上板の上に置かれた調理器具の底を通過する時に抵抗成分（通常、インダクションレンジの場合、鉄成分を使用）によって渦流電流が発生し、誘導加熱が行われるようにするのである。本考案では熱伝導体３０となるものとして使用されるよう炭素成型体又はセラミック体が例示されるが、これらは、場合によっては抵抗体として役不足のため前述の誘導加熱が発生せず、別途の電流抵抗体２０が必要となることがある。
【００１９】
従って、こうした役割を担う電流抵抗体２０として通孔が多数個形成された金網又はパンチングされた鉄板を使う場合には軽くなり、全体的な調理器具の重量を最小化できるために好まれて使用される。同時に、電流抵抗体２０として使われた金網又はパンチングされた鉄板の通孔内には炭素又はセラミック粉末のような熱伝導粉末２１を充填させて空隙を最小化する場合には、さらに蓄熱性を高めることができる。
【００２０】
熱伝導体３０は主に炭素材（炭）を所定量の接着剤と共に圧縮成型して製作された炭素成型体又はセラミック粉末を塑性加工して製作されたセラミック体を使うことが可能である。その形は適用しようとする器具本体１０の底面と対応する平面形状になるようにするもので、通常的に器具本体１０の底面は丸型であることから熱伝導体３０も丸型で製作されたものの使用が望ましい。
【００２１】
固定具４０は電流抵抗体２０と熱伝導体３０とを器具本体１０の底面に密着させた状態で固定するための手段として使用される。全体的な形は丸板型の熱伝導体３０がその内部に挿入装着され、外周面とすき間なく密着されると同時に、熱伝導体３０の底面を外部に露出させるように開口されたリング型になっている。
【００２２】
又、固定具４０の下端には内部に挿入装着された熱伝導体３０が外部に脱落されるのを防止するため、熱伝導体３０の下端を支持できるように内部方向に折曲された形状、例えば断面ほぼＬ字状の係止部４１が形成されている。この係止部４１は固定具４０の製作時に、その下端を折曲してあらかじめ形成することもできるが、まずリング型の固定具４０を製作して電流抵抗体２０と熱伝導体３０とを挿入した後、内周縁の先端を内側に折曲させる等によって、後で形成することもできる。
【００２３】
このような構成の調理器具は固定具４０内に熱伝導体３０が係止部４１によって収まるよう装着し、固定具４０の上端と器具本体１０との間に所定の付着手段によって付着して組み立てられる。このような固定具４０と器具本体１０との付着は溶接や接着剤を利用した接着によってなされる。
【００２４】
図３は本考案を鍋として構成した場合を示した断面図で、図示されたように鍋形の器具本体１０があって、この器具本体１０の底面には電流抵抗体２０と熱伝導体３０とが上下で積層挿入された状態にしておいて、リング型の固定具４０による所定の付着手段によって付着されている。このように本考案の調理器具は鍋にも容易に適用が可能だということを示している。
【００２５】
又、固定具４０の上端には器具本体１０の底面例えばその周縁全域に接合するように上端に折曲された結着部４２がさらに形成されている。このような結着部４２によって器具本体１０との接着面積を広げてより強固な固定をなし、外部の衝撃から固定具４０が離れることを防止することができる。
【００２６】
尚、以上の実施の形態において、固定具４０は器具本体１０とは別に製作して器具本体１０に接着することとして説明されている。これとは異なり器具本体１０を製作する際に底部の外周縁に沿ってリング型の固定具４０を一体形成し、固定具４０内に電流抵抗体２０と熱伝導体３０とを挿入した後、余裕の空間として余ったリングの先端を内部に折曲して係止部４１を形成することもできることを明らかにしておく。
【００２７】
こうした本考案の調理器具は主にドローイング工法によって製作され、比較的複雑な形状の器具の製作が容易ではないステンレスや鋳鉄、銅材質製等の器具であっても、これらの器具本体１０の底面に炭素材（炭）を圧縮成型して製作された電流抵抗体２０と熱伝導体３０とを固定具４０によって装着することで、ガスレンジの炎だけではなく、インダクションレンジの電熱線に対しても熱伝導性を有したものとなり、二つの異なる種類のレンジの兼用使用ができるようになる。
【００２８】
又、上記の調理器具は熱伝導体３０によって熱源に対しての蓄熱性を向上させ、被調理物が局部的に焦げる現象を防止することができるし、金属より軽い炭素成型体やセラミック体を熱伝導体３０として使用することによって、器具の重量感を顕著に減らして使用者の取り扱いが容易となる。
【００２９】
同時に、熱伝導体３０の構成成型粉となる炭素材（炭）やセラミックは脱臭、殺菌、防かび、遠赤外線効果、適切な温・湿度の維持、悪臭の除去等の効果があることが様々な論文や従来技術によって立証され、このような効果も併せ持つようになる。
【図面の簡単な説明】
【００３０】
【図１】本考案をフライパンとして構成した場合の分解斜視図である。
【図２】図１における一部の拡大断面図を含む断面図である。
【図３】本考案を鍋として構成した場合の一部の拡大断面図を含む断面図である。
【符号の説明】
【００３１】
１０…器具本体                          ２０…電流抵抗体
２１…熱伝導粉末                        ３０…熱伝導体
４０…固定具                            ４１…係止部
４２…結着部
【図１】
0003126625.tif 000003
【図２】
0003126625.tif 000004
【図３】
0003126625.tif 000005